(57)【要約】【課題】部品点数を増加させずに、給電部材及び基板の端子に対する導通部材の接触不良を抑制する。【解決手段】装置本体と、端子を通じて電力を供給する基板と、前記装置本体に設けられ、予め定められた圧縮方向へ圧縮変形可能とされ、圧縮方向一端部が前記基板の前記端子に接触された導通部材と、前記装置本体に設けられ、前記導通部材の圧縮方向他端部と接触し、前記導通部材を介して前記基板から供給された電力を被給電部へ給電する給電部材と、前記装置本体に設けられ、前記導通部材を被覆し、かつ、前記給電部材を前記導通部材に押し付けることにより、前記導通部材を圧縮変形させた状態で当該導通部材を前記端子に押し付ける被覆部材と、を備える給電装置。【選択図】図４
2013231812.tif 000002
【特許請求の範囲】
【請求項１】
装置本体と、
端子を通じて電力を供給する基板と、
前記装置本体に設けられ、予め定められた圧縮方向へ圧縮変形可能とされ、圧縮方向一端部が前記基板の前記端子に接触された導通部材と、
前記装置本体に設けられ、前記導通部材の圧縮方向他端部と接触し、前記導通部材を介して前記基板から供給された電力を被給電部へ給電する給電部材と、
前記装置本体に設けられ、前記導通部材を被覆し、かつ、前記給電部材を前記導通部材に押し付けることにより、前記導通部材を圧縮変形させた状態で当該導通部材を前記端子に押し付ける被覆部材と、
を備える給電装置。
【請求項２】
前記基板は、複数の端子を有し、
前記導通部材は、複数設けられ、それぞれの圧縮方向一端部が前記基板の各前記端子と接触し、
前記給電部材は、複数設けられ、それぞれが各前記導通部材の圧縮方向他端部と接触し、前記導通部材を介して前記基板から供給された電力を複数の前記被給電部のそれぞれへ給電し、
前記被覆部材は、複数の前記導通部材及び複数の前記給電部材を被覆し、かつ、前記給電部材のそれぞれを前記導通部材のそれぞれに押し付けることにより、前記導通部材を圧縮変形させた状態で当該導通部材を前記端子に押し付ける請求項１に記載の給電装置。
【請求項３】
感光体を帯電させる帯電部と、
前記帯電部によって帯電した前記感光体が露光されることで形成された静電潜像を現像する現像部と、
前記現像部で現像された画像を記録媒体に転写する転写部と、
前記帯電部、前記現像部、前記転写部の少なくとも１つに電力を供給する請求項１又は２に記載の給電装置と、
を備える画像形成装置。
【発明の詳細な説明】
【技術分野】
【０００１】
本発明は、給電装置、画像形成装置に関する。
【背景技術】
【０００２】
特許文献１には、高圧電源基板および電力供給を要する機器を保持するフレーム部材の形状に沿って３次元的に折り曲げられた導通部と、該導通部の両端に形成されるコイルスプリングと、を備える画像形成装置が開示されている。
【先行技術文献】
【特許文献】
【０００３】
【特許文献１】特開２００８−２４２０７０号公報
【発明の概要】
【発明が解決しようとする課題】
【０００４】
本発明は、部品点数を増加させずに、給電部材及び基板の端子に対する導通部材の接触不良を抑制することを課題とする。
【課題を解決するための手段】
【０００５】
請求項１の発明は、装置本体と、端子を通じて電力を供給する基板と、前記装置本体に設けられ、予め定められた圧縮方向へ圧縮変形可能とされ、圧縮方向一端部が前記基板の前記端子に接触された導通部材と、前記装置本体に設けられ、前記導通部材の圧縮方向他端部と接触し、前記導通部材を介して前記基板から供給された電力を被給電部へ給電する給電部材と、前記装置本体に設けられ、前記導通部材を被覆し、かつ、前記給電部材を前記導通部材に押し付けることにより、前記導通部材を圧縮変形させた状態で当該導通部材を前記端子に押し付ける被覆部材と、を備える給電装置である。
【０００６】
請求項２の発明は、前記基板は、複数の端子を有し、前記導通部材は、複数設けられ、それぞれの圧縮方向一端部が前記基板の各前記端子と接触し、前記給電部材は、複数設けられ、それぞれが各前記導通部材の圧縮方向他端部と接触し、前記導通部材を介して前記基板から供給された電力を複数の前記被給電部のそれぞれへ給電し、前記被覆部材は、複数の前記導通部材及び複数の前記給電部材を被覆し、かつ、前記給電部材のそれぞれを前記導通部材のそれぞれに押し付けることにより、前記導通部材を圧縮変形させた状態で当該導通部材を前記端子に押し付ける請求項１に記載の給電装置である。
【０００７】
請求項３の発明は、感光体を帯電させる帯電部と、前記帯電部によって帯電した前記感光体が露光されることで形成された静電潜像を現像する現像部と、前記現像部で現像された画像を記録媒体に転写する転写部と、前記帯電部、前記現像部、前記転写部の少なくとも１つに電力を供給する請求項１又は２に記載の給電装置と、を備える画像形成装置である。
【発明の効果】
【０００８】
本発明の請求項１の構成によれば、専用部品を用いて給電部材を導通部材に押し付ける場合に比べ、部品点数を増加させずに、給電部材及び基板の端子に対する導通部材の接触不良を抑制できる。
【０００９】
本発明の請求項２の構成によれば、複数の給電部材を別部材で押し付ける場合に比べ、部品点数を増加させずに、給電部材及び基板の端子に対する導通部材の接触不良を抑制できる。
【００１０】
本発明の請求項３の構成によれば、本構成における給電装置を備えない場合に比べ、部品点数を増加させずに、給電部材及び基板の端子に対する導通部材の接触不良に起因する画像の劣化が抑制できる。
【図面の簡単な説明】
【００１１】
【図１】本実施形態に係る画像形成装置の構成を示す概略図である。
【図２】本実施形態に係る画像記録装置の装置本体（フレーム）の構成を示す斜視図である。
【図３】本実施形態に係る給電装置の構成を示す斜視図である。
【図４】図３に示す構成における分解斜視図である。
【図５】図７におけるＡ−Ａ線断面図である。
【図６】本実施形態に係る給電装置本体の構成を示す斜視図である。
【図７】本実施形態に係る給電装置本体の構成を示す正面図である。
【図８】本実施形態に係る給電装置のカバーの構成を示す斜視図である。
【図９】本実施形態に係る給電装置のカバーの構成を示す側面図である。
【発明を実施するための形態】
【００１２】
以下に、本発明に係る実施形態の一例を図面に基づき説明する。
【００１３】
（画像形成装置１０の構成）
まず、画像形成装置１０の構成を説明する。図１は、画像形成装置１０の構成を示す概略図である。なお、後述のＸ方向・−Ｘ方向・Ｙ方向（上方）・−Ｙ方向（下方）・Ｚ方向・−Ｚ方向は、図中に示される矢印方向である。また、図中の「○」の中に「×」が記載されたものは、紙面の手前から奥へ向かう矢印を意味し、図中の「○」の中に「・」が記載されたものは、紙面の奥から手前へ向かう矢印を意味する。
【００１４】
図１に示されるように、画像形成装置１０は、原稿の画像を読み取る画像読取装置５００と、記録媒体Ｐに画像を記録する画像記録装置１００と、を備えている。画像記録装置１００は、画像読取装置５００が読み取った原稿の画像の画像データや、画像形成装置１０の外部装置から取得した画像データに基づき、記録媒体Ｐに画像を記録（形成）することが可能となっている。
【００１５】
（画像読取装置５００）
図１に示されるように、画像読取装置５００は、画像読取装置本体５０２と、原稿Ｇを搬送する原稿搬送装置５０４と、画像読取装置本体５０２の内部に設けられ原稿搬送装置５０４により搬送される原稿Ｇの画像を読み取る画像読取部５１０と、を備えている。
【００１６】
原稿搬送装置５０４は、複数の原稿Ｇが収容可能な原稿収容部（原稿トレイ）５０６を有している。原稿収容部（原稿トレイ）５０６に収容された原稿Ｇは、矢印Ｃ方向に示されるように、Ｕ字状に搬送されて原稿排出部５０８に排出されるようになっている。画像読取部５１０では、原稿搬送装置５０４で搬送される原稿Ｇに対して、発光部５１２から光を照射し、その光が原稿Ｇで反射され、複数のミラー５１４及び結像レンズ５１６を通じて、ＣＣＤ（Charge Coupled Device）イメージセンサ等の検出部５１８に結像される。当該結像された光が検出部５１８で検出されることで、画像読取部５１０では、原稿搬送装置５０４で搬送される原稿の画像を読み取るようになっている。
【００１７】
画像読取装置本体５０２の上部には、透明板５２０が設けられており、この透明板５２０に載せられた原稿の画像も、画像読取部５１０は読取可能となっている。また、原稿搬送装置５０４は、画像読取装置本体５０２に対して開閉可能に取り付けられており、透明板５２０に載せられた原稿を押さえる押さえカバーとして機能するようになっている。
【００１８】
（画像記録装置１００）
画像記録装置１００は、図１に示されるように、各構成部品が内部に収容される装置本体１１を備えている。装置本体１１の内部には、用紙等の記録媒体Ｐが収容される収容部１２と、記録媒体Ｐに画像を形成（記録）する画像形成部（画像記録部）としての画像形成ユニット６０と、画像形成ユニット６０によって記録媒体Ｐに形成された画像を当該記録媒体Ｐに定着する定着装置としての定着ユニット８０と、収容部１２から画像形成ユニット６０へ記録媒体Ｐを搬送する搬送部１６と、が設けられている。また、装置本体１１の上部には、定着ユニット８０によって画像が定着された記録媒体Ｐが排出される排出部１８が設けられている。
【００１９】
画像形成ユニット６０は、画像を保持する像保持体としての感光体ドラム３２を有している。感光体ドラム３２は、一方向（例えば、図１における時計回り方向）へ回転するようになっている。
【００２０】
感光体ドラム３２の周囲には、感光体ドラム３２の回転方向上流側から順に、感光体ドラム３２を帯電させる帯電部の一例としての帯電ロール２３と、帯電ロール２３によって帯電した感光体ドラム３２を露光して感光体ドラム３２に静電潜像を形成する露光装置３６と、露光装置３６によって感光体ドラム３２に形成された静電潜像を現像して黒色のトナー画像を形成する現像部の一例としての現像装置３８と、現像装置３８によって感光体ドラム３２に形成された黒色のトナー画像を記録媒体Ｐに転写する転写部の一例としての転写ロール２６と、が設けられている。
【００２１】
現像装置３８は、現像剤を攪拌しながら当該現像剤を感光体ドラム３２の軸方向に沿って搬送する搬送部材３８Ｂと、搬送部材３８Ｂが搬送する現像剤を保持して当該現像剤を感光体ドラム３２へ供給する現像剤供給体としての現像ロール３８Ａと、を備えている。現像装置３８では、現像ロール３８Ａに電圧（現像バイアス）が印加されることで現像ロール３８Ａと感光体ドラム３２との間に電位差が生じ、この電位差によって、現像ロール３８Ａが保持した現像剤が感光体ドラム３２へ供給されるようになっている。
【００２２】
露光装置３６は、後述の制御基板２０から送られた画像信号（画像データ）に基づき静電潜像を形成するようになっている。後述の制御基板２０から送られる画像信号としては、画像読取装置５００が読み取った原稿の画像の画像信号や、画像形成装置１０の外部装置から取得した画像信号がある。
【００２３】
露光装置３６の上方側（Ｙ方向側）には、トナーが収容されているトナー収容容器としてのトナーカートリッジ５８が設けられている。トナーカートリッジ５８内のトナーは、トナー搬送装置（図示省略）によって、現像装置３８へ搬送されるようになっている。
【００２４】
転写ロール２６は、感光体ドラム３２に対向しており、感光体ドラム３２とで記録媒体Ｐを挟んで記録媒体Ｐを上方側（Ｙ方向側）へ搬送するようになっている。また、転写ロール２６には、感光体ドラム３２のトナー像を記録媒体Ｐへ転写させるための転写電圧（転写バイアス）が印加されるようになっている。転写ロール２６と感光体ドラム３２との間が、感光体ドラム３２に形成されたトナー画像が記録媒体Ｐに転写される転写位置Ｔとされている。
【００２５】
搬送部１６は、収容部１２に収容された記録媒体Ｐを送り出す送出ロール４６と、送出ロール４６によって送り出された記録媒体Ｐが搬送される搬送路４８と、搬送路４８に沿って配置され送出ロール４６によって送り出された記録媒体Ｐを転写位置Ｔへ搬送する複数の搬送ロール５０と、を備えている。
【００２６】
定着ユニット８０は、転写位置Ｔの上方側（搬送方向下流側）に配置されており、転写ロール２６によって感光体ドラム３２から記録媒体Ｐへ転写されたトナー画像を当該記録媒体Ｐに定着するようになっている。この定着ユニット８０の上方側（搬送方向下流側）には、トナー画像が定着された記録媒体Ｐを排出部１８へ排出する排出ロール５２が設けられている。
【００２７】
また、片面にトナー画像が定着された記録媒体Ｐを反転させて、再び転写位置Ｔへ送り戻すための反転搬送路３７が、転写ロール２６に対する感光体ドラム３２とは反対側（−Ｘ方向側）に設けられている。記録媒体Ｐの両面に画像を形成する際には、片面にトナー画像が定着された記録媒体Ｐが、排出ロール５２によりスイッチバックされて反転搬送路３７に導かれ、転写位置Ｔへ送り戻されるようになっている。
【００２８】
なお、画像記録装置１００の装置本体１１は、図２に示されるように、側壁の一例としてのリアフレーム１１０と、リアフレーム１１０に対向する対向壁（側壁）の一例としてのフロントフレーム１２０と、を有している。
【００２９】
リアフレーム１１０の背面（−Ｚ方向側の側面）には、後述の高電圧電源基板４０２と、高電圧電源基板４０２が供給する電力における電圧よりも低電圧の電力を各部に供給する低電圧電源基板３０２と、画像記録装置１００の各部の動作を制御する制御部としての制御基板２０と、が設けられている。
【００３０】
（画像形成動作）
次に、画像記録装置１００における、記録媒体Ｐへ画像を形成（記録）する画像形成動作（画像記録動作）について説明する。
【００３１】
画像記録装置１００では、送出ロール４６によって収容部１２から送り出された記録媒体Ｐが、複数の搬送ロール５０によって転写位置Ｔへ送り込まれる。
【００３２】
一方、画像形成ユニット６０では、感光体ドラム３２が帯電ロール２３によって帯電された後、露光装置３６によって露光されて、感光体ドラム３２に静電潜像が形成される。当該静電潜像が現像装置３８によって現像されて感光体ドラム３２に黒色のトナー画像が形成される。この黒色のトナー画像は、転写ロール２６により転写位置Ｔにて記録媒体Ｐへ転写される。
【００３３】
トナー画像が転写された記録媒体Ｐは、定着ユニット８０へ搬送され、当該トナー画像が定着ユニット８０により定着される。記録媒体Ｐの片面へのみ画像を形成する場合は、トナー画像が定着された後、記録媒体Ｐは排出ロール５２により排出部１８へ排出される。
【００３４】
記録媒体Ｐの両面へ画像を形成する場合には、片面に画像が形成された後、記録媒体Ｐは、排出ロール５２でスイッチバックされ、反転して反転搬送路３７へ送り込まれる。さらに、当該記録媒体は、反転搬送路３７から再び転写位置Ｔへ送り込まれ、画像が記録されていない反対面に、前述と同様に画像が形成され、排出ロール５２により排出部１８へ排出される。以上のように、一連の画像形成動作が行われる。
【００３５】
（給電装置２００の構成）
次に、被給電部の一例としての帯電ロール２３、現像ロール３８Ａ及び転写ロール２６に電力を供給する給電装置２００の構成を説明する。図３及び図４は、給電装置２００の構成を示す斜視図及び分解斜視図である。
【００３６】
給電装置２００は、図３及び図４に示されるように、各構成部品が取り付けられる装置本体の一例としての給電装置本体２０２と、給電装置本体２０２に取り付けられたカバー２３０と、電力を供給する基板の一例としての高電圧電源基板４０２と、を備えている。なお、図３においてドットで示された部分が、カバー２３０である。
【００３７】
給電装置本体２０２は、図３に示されるように、リアフレーム１１０のＺ方向側の面に対して、ネジ止めされることで固定されている。給電装置本体２０２には、図４に示されるように、軸方向両端が開放された３つの筒部２０４と、各筒部２０４の上側（Ｙ方向側）に配置され高電圧電源基板４０２と連結される３つの連結部２０６とが、給電装置本体２０２に一体に設けられている。
【００３８】
３つの筒部２０４及び３つの連結部２０６は、給電装置本体２０２から−Ｚ方向に突出しており、リアフレーム１１０に形成された通し孔１１２に挿し通されている。３つの連結部２０６の突出方向先端部は、高電圧電源基板４０２に固定されている。３つの筒部２０４の突出方向先端部は、図５に示されるように、高電圧電源基板４０２に対して隙間を有しており、非固定とされている。
【００３９】
各筒部２０４の軸方向一端（Ｚ方向端）の開放口２０４Ａが形成された給電装置本体２０２の形成面２０８は、平面状に形成されており、各開放口２０４Ａは、同一面上に配置されている。
【００４０】
高電圧電源基板４０２は、図４に示されるように、Ｘ方向側部分が、上下一対の固定部材部材４０４を介してネジ止めされることでリアフレーム１１０の−Ｚ方向側の面に対して固定され、−Ｘ方向側部分が、前述のとおり、３つの連結部２０６に固定されている。高電圧電源基板４０２は、図５に示されるように、筒部２０４の軸方向他端（−Ｚ方向端）の開放口２０４Ｂに対向する３つの端子４０２Ａを有している。高電圧電源基板４０２は、端子４０２Ａを通じて外部へ電力を供給するようになっている。
【００４１】
３つの筒部２０４のそれぞれには、図５及び図６に示されるように、一端部が高電圧電源基板４０２の端子４０２Ａに接触して端子４０２Ａと導通する導通部材の一例としての第１コイルスプリング２１０が収容されている。第１コイルスプリング２１０は、筒部２０４の軸方向に沿って圧縮変形可能とされている。また、第１コイルスプリング２１０は、筒部２０４、給電装置本体２０２、カバー２３０及び高電圧電源基板４０２に対して非固定とされている。
【００４２】
第１コイルスプリング２１０は、図６及び図７に示されるように、螺旋状に巻かれたコイル部２１０Ａと、コイル部２１０Ａの軸方向一端（Ｚ方向端）からコイル部２１０Ａの接線方向に延び出た導線部２１０Ｂと、を有している。導線部２１０Ｂは、図７に示されるように、第１コイルスプリング２１０の軸方向視（−Ｚ方向視）にて、Ｌ字状に形成されている。このＬ字状の導線部２１０Ｂは、給電装置本体２０２の形成面２０８に形成された−Ｚ方向視にてＬ字状の溝部２０２Ａに嵌められている。すなわち、導線部２１０Ｂは、第１コイルスプリング２１０が筒部２０４から−Ｚ方向へ脱落するのを阻止する抜け止めとしても機能するようになっている。
【００４３】
図３に示されるように、給電装置本体２０２のＺ方向側部分には、帯電ロール２３、現像ロール３８Ａ及び転写ロール２６（図１参照）へ第１コイルスプリング２１０からの電力を給電する給電部材の一例としての３つの第２コイルスプリング２２０、２２２、２２４と、第１コイルスプリング２１０を被覆する被覆部材の一例としての前述のカバー２３０とが、設けられている。
【００４４】
図６及び図７に示されるように、第２コイルスプリング２２０、２２２は、螺旋状に巻かれたコイル部２２０Ａ、２２２Ａと、コイル部２２０Ａ、２２２Ａの軸方向一端（−Ｚ方向端）からコイル部２２０Ａ、２２２Ａの接線方向に延び出た導線部２２０Ｂ、２２２Ｂと、を有している。
【００４５】
第２コイルスプリング２２０、２２２は、図６に示されるように、給電装置本体２０２の形成面２０８よりもＺ方向側へ張り出した配置面２０９に対して、コイル部２２０Ａ、２２２Ａの軸方向がＺ方向を向くように配置されている。
【００４６】
第２コイルスプリング２２０、２２２の導線部２２０Ｂ、２２２Ｂは、図６及び図７に示されるように、コイル部２２０Ａ、２２２ＡからＸ方向に延び出て配置面２０９に配置され、さらに、配置面２０９のＸ方向端で屈曲されて−Ｚ方向に延び、さらに、第１コイルスプリング２１０の導線部２１０Ｂの一箇所及びコイル部２１０Ａの２箇所を通過するように、形成面２０８に沿ってＹ方向又は−Ｙ方向へ配置されている。すなわち、第２コイルスプリング２２０、２２２の導線部２２０Ｂ、２２２Ｂは、第１コイルスプリング２１０に対して３点で接触するようになっている。
【００４７】
なお、第２コイルスプリング２２０の導線部２２０Ｂは、３つの第１コイルスプリング２１０のうち、上方側（Ｙ方向側）の第１コイルスプリング２１０に対して接触し、第２コイルスプリング２２２の導線部２２２Ｂは、上下方向（Ｙ方向）中央に配置された第１コイルスプリング２１０に対して接触するようになっている。
【００４８】
図５に示されるように、第２コイルスプリング２２０のコイル部２２０Ａの軸方向他端（Ｚ方向端）は、帯電ロール２３の軸方向端部（−Ｚ方向端部）に設けられた接続部２３Ａと接触して導通している。接続部２３Ａは、板バネで構成されており、第２コイルスプリング２２０のコイル部２２０Ａを圧縮変形（弾性変形）させた状態で、コイル部２２０Ａを配置面２０９に対して押し付けている。これにより、第２コイルスプリング２２０は、第１コイルスプリング２１０を介して高電圧電源基板４０２から供給された電力を帯電ロール２３へ給電するようになっている。
【００４９】
第２コイルスプリング２２２のコイル部２２２Ａの軸方向他端（Ｚ方向端）は、現像ロール３８Ａの軸方向端部（−Ｚ方向端部）に設けられた接続部３８Ｃと接触して導通している。接続部３８Ｃは、板バネで構成されており、第２コイルスプリング２２２のコイル部２２２Ａを圧縮変形（弾性変形）させた状態で、コイル部２２２Ａを配置面２０９に対して押し付けている。これにより、第２コイルスプリング２２２は、第１コイルスプリング２１０を介して高電圧電源基板４０２から供給された電力を現像ロール３８Ａへ給電するようになっている。
【００５０】
第２コイルスプリング２２４は、図６及び図７に示されるように、螺旋状に巻かれたコイル部２２４Ａと、コイル部２２４Ａの軸方向一端（Ｘ方向端）からコイル部２２４Ａの軸方向に延び出た導線部２２４Ｂと、を有している。
【００５１】
第２コイルスプリング２２４は、給電装置本体２０２の−Ｘ方向端部の配置面２０９に対して、コイル部２２４Ａの軸方向がＸ方向を向くように配置されている。配置面２０９には、第２コイルスプリング２２４を上下方向（Ｙ方向）に挟む一対の側壁２０７と、第２コイルスプリング２２４のコイル部２２４Ａの軸方向一端（Ｘ方向端）に接触する接触壁２０５が、一体に設けられている。また、−Ｙ方向側の側壁２０７には、配置面２０９とで、第２コイルスプリング２２４をＺ方向に挟む側壁２０３が、一体に設けられている。
【００５２】
第２コイルスプリング２２４の導線部２２４Ｂは、コイル部２２４ＡからＸ方向に延び出て配置面２０９に配置され、さらに、配置面２０９のＸ方向端で屈曲されて−Ｚ方向に延び、さらに、−Ｙ方向側に配置された第１コイルスプリング２１０の導線部２１０Ｂの一箇所及びコイル部２１０Ａの２箇所を通過するように、形成面２０８に沿ってＹ方向へ配置されている。すなわち、第２コイルスプリング２２４の導線部２２４Ｂは、下方側（−Ｙ方向側）に配置された第１コイルスプリング２１０に対して３点で接触するようになっている。
【００５３】
第２コイルスプリング２２４のコイル部２２４Ａの軸方向他端（−Ｘ方向端）は、転写ロール２６の軸方向端部（−Ｚ方向端部）に設けられた接続部２６Ａと接触して導通している。接続部２６Ａは、板バネで構成されており、第２コイルスプリング２２４のコイル部２２０Ａを圧縮変形（弾性変形）させた状態で、コイル部２２４Ａを接触壁２０５に対して押し付けている。これにより、第２コイルスプリング２２４は、第１コイルスプリング２１０を介して高電圧電源基板４０２から供給された電力を転写ロール２６へ給電するようになっている。
【００５４】
カバー２３０は、図３に示されるように、給電装置本体２０２における形成面２０８側（Ｚ方向側）に対して取り付けられている。具体的には、カバー２３０に形成された被掛止部としての複数の開口２３２に対して、給電装置本体２０２の側面に形成された掛止部としての複数の爪部２０１が掛け止めされている。このように、カバー２３０が給電装置本体２０２に取り付けられることで、カバー２３０は、開放口２０４Ａ、形成面２０８及び第１コイルスプリング２１０を被覆している。
【００５５】
また、カバー２３０には、第２コイルスプリング２２０、２２２が挿し通され、第２コイルスプリング２２０、２２２の軸方向中間部を保持する筒部２３４が形成されている。
【００５６】
さらに、カバー２３０には、図８に示されるように、第２コイルスプリング２２０、２２２、２２４の導線部２２０Ｂ、２２２Ｂ、２２４Ｂのそれぞれを、第１コイルスプリング２１０のコイル部２１０Ａのそれぞれに押し付ける押付部２３８が形成されている。
【００５７】
押付部２３８は、給電装置本体２０２の形成面２０８に対向するカバー２３０の対向壁２３９から−Ｚ方向側へ突出しており、突出方向側（−Ｚ方向側）に形成された押付面２３８Ａにおいて導線部２２０Ｂ、２２２Ｂ、２２４Ｂを押し付けている。なお、押付部２３８の裏側（Ｚ方向側）は、図３に示されるように、凹み２３９となっている。
【００５８】
押付面２３８Ａは、図９に示されるように、同一面上に配置されている。また、押付部２３８（押付面２３８Ａ）は、側方視（−Ｘ方向視）にて、少なくとも一部が、開口２３２とＹ方向において重なっている。
【００５９】
押付部２３８が、複数の開口２３２に対する爪部２０１の掛け止め状態において、導線部２２０Ｂ、２２２Ｂ、２２４Ｂのそれぞれを、第１コイルスプリング２１０のコイル部２１０Ａのそれぞれに押し付けることにより、コイル部２１０Ａを圧縮変形（弾性変形）させた状態で、コイル部２１０Ａが高電圧電源基板４０２の端子４０２Ａに押し付けられている。すなわち、押付部２３８が、コイル部２１０Ａに対する押し付け力の反力を支持している。
【００６０】
第１コイルスプリング２１０は、コイル部２１０Ａが高電圧電源基板４０２とカバー２３０の押付部２３８との間に挟まれることで、Ｚ方向への移動が規制されている。すなわち、第１コイルスプリング２１０は、高電圧電源基板４０２とカバー２３０の押付部２３８とによって、Ｚ方向の位置決めがなされている。また、第１コイルスプリング２１０は、コイル部２１０Ａが筒部２０４に収容されることで、コイル部２１０Ａの径方向（Ｙ方向、Ｘ方向）への移動が規制されている。すなわち、第１コイルスプリング２１０は、筒部２０４によって、コイル部２１０Ａの径方向（Ｙ方向、Ｘ方向）の位置決めがなされている。
【００６１】
（本実施形態の作用）
次に、本実施形態の作用を説明する。
【００６２】
本実施形態では、カバー２３０に形成された押付部２３８が、第２コイルスプリング２２０、２２２、２２４の導線部２２０Ｂ、２２２Ｂ、２２４Ｂのそれぞれを、第１コイルスプリング２１０のコイル部２１０Ａのそれぞれに押し付ける。すなわち、本実施形態では、カバー２３０が、開放口２０４Ａ、形成面２０８及び第１コイルスプリング２１０を被覆する被覆機能と、第２コイルスプリング２２０、２２２、２２４のそれぞれを第１コイルスプリング２１０に押し付ける押付機能と、を有している。
【００６３】
このため、本実施形態の構成によれば、カバー２３０以外の専用部品によって、第２コイルスプリング２２０、２２２、２２４のそれぞれを第１コイルスプリング２１０に押し付ける場合に比べ、部品点数を増加させずに、第２コイルスプリング２２０、２２２、２２４及び高電圧電源基板４０２の端子４０２Ａに対する第１コイルスプリング２１０の接触不良が抑制される。
【００６４】
また、本実施形態では、カバー２３０が、３つの第２コイルスプリング２２０、２２２、２２４のそれぞれを、第１コイルスプリング２１０のそれぞれに押し付けるため、３つの第２コイルスプリング２２０、２２２、２２４のそれぞれを別部材で押し付ける場合に比べ、部品点数を増加させずに、第２コイルスプリング２２０、２２２、２２４及び高電圧電源基板４０２の端子４０２Ａに対する第１コイルスプリング２１０の接触不良が抑制される。このように、第１コイルスプリング２１０の接触不良を抑制することにより、画像形成装置１０（画像記録装置１００）において、当該接触不良に起因する画像の劣化が抑制される。
【００６５】
（変形例）
本実施形態では、導通部材の一例として第１コイルスプリング２１０を用いたが、導通部材としては、これに限られず、例えば、予め定められた圧縮方向へ圧縮変形する他のバネであってもよい。
【００６６】
また、本実施形態では、給電部材の一例として第２コイルスプリング２２０、２２２、２２４を用いたが、給電部材としては、これに限られず、例えば、他のバネや導線（電線）であってもよい。
【００６７】
また、本実施形態では、被給電部の一例として、帯電ロール２３、現像ロール３８Ａ及び転写ロール２６を用いたが、被給電部としては、これに限られず、例えば、トナー画像が転写された記録媒体Ｐの除電を行う除電部材（除電針）であってもよく、電力の供給が必要な部材であればよい。
【００６８】
また、本実施形態では、３つの被給電部（帯電ロール２３、現像ロール３８Ａ及び転写ロール２６）が設けられていたが、被給電部は単数であっても良い。また、被給電部は、２つ又は４つ以上設けられていてもよい。なお、筒部２０４、第１コイルスプリング２１０、第２コイルスプリング２２０、２２２、２２４、端子４０２Ａは、被給電部の数に対応した数だけ設けられる。
【００６９】
本発明は、上記の実施形態に限るものではなく、種々の変形、変更、改良が可能である。例えば、上記に示した変形例は、適宜、複数を組み合わせて構成しても良い。
【符号の説明】
【００７０】
１０   画像形成装置
２３   帯電ロール（帯電部の一例、被給電部の一例）
２６   転写ロール（転写部の一例、被給電部の一例）
３８   現像装置（現像部の一例、被給電部の一例）
２００ 給電装置
２０２ 給電装置本体（装置本体の一例）
２１０ 第１コイルスプリング（導通部材の一例）
２２０ 第２コイルスプリング（給電部材の一例）
２２２ 第２コイルスプリング（給電部材の一例）
２２４ 第２コイルスプリング（給電部材の一例）
２３０ カバー（被覆部材の一例）
４０２ 高電圧電源基板（基板の一例）
４０２Ａ      端子
【図１】
2013231812.tif 000003
【図２】
2013231812.tif 000004
【図３】
2013231812.tif 000005
【図４】
2013231812.tif 000006
【図５】
2013231812.tif 000007
【図６】
2013231812.tif 000008
【図７】
2013231812.tif 000009
【図８】
2013231812.tif 000010
【図９】
2013231812.tif 000011